(57)【特許請求の範囲】
【請求項１】
樹脂製の心材である樹脂心の周囲に複数本のストランドを撚り合わせてなる動索用ワイヤロープであって、
前記樹脂心が複数の樹脂層からなり、隣り合う樹脂層の樹脂材が異なる、または／および、隣り合う層の配色が異なる
ことを特徴とする動索用ワイヤロープ。
【請求項２】
樹脂心の中心側の樹脂層よりも外側の樹脂層の摩耗に対する耐久性が高くなるよう構成されている
ことを特徴とする請求項１記載の動索用ワイヤロープ。
【請求項３】
樹脂心の中心側の樹脂層よりも外側の樹脂層の配色が淡色系になるよう構成されている
ことを特徴とする請求項１または２記載の動索用ワイヤロープ。
【発明の詳細な説明】
【技術分野】
【０００１】
本発明は、エレベータ用動索などに用いられる動索用ワイヤロープに関する。
【背景技術】
【０００２】
エレベータ用動索に使用されるワイヤロープは、複数のワイヤが撚り合わされたストランドを、心材を中心としてさらに撚り合わせることで構成されている。従来の動索用ワイヤロープでは、繊維心や鋼製の心材が多く用いられている。このような心材は、一定期間の使用を経ると曲げの繰り返し等によって徐々に摩耗して細くなっていく。心材が細くなると、ストランド同士の接触により摩耗粉が発生したり、ワイヤロープに伸びを生じさせてたり、ワイヤロープ自体が傷み、強度が低下するという問題があった。そのため、ポリエチレンやポリプロピレン等の樹脂を心材として用いたワイヤロープが提案されるようになっている（例えば、特許文献１参照。）。
【先行技術文献】
【特許文献】
【０００３】
【特許文献１】特開２０１０−１４４３０５号公報
【発明の概要】
【発明が解決しようとする課題】
【０００４】
動索用ワイヤロープは、その交換基準が各法規によって定められており（例えば、労働安全衛生規則・クレーン等安全規則・ゴンドラ構造規格・昇降機検査基準（JISA4302）等。）、ロープ径が一定以下の細さになると交換しなければならない。そのため、動索用ワイヤロープの径（太さ）を維持し管理することが重要事項となっている。径の状態を測定する時期が遅くなったり、測定ミスがあったりすると重大な事故につながりかねないからである。
【０００５】
しかしながら、従来の動索用ワイヤロープでは、繊維心であれ樹脂心であれ、ロープ径の確認が容易ではないという問題がある。すなわち、JISG3525に明記されているように測定工具（ノギス）を用いて径を測定するにあたっては、測定するために機械（例えば昇降機）を停止させ、複数箇所の測定を行う必要があり、多大な時間と労力を要する。このとき、測定箇所を多くすれば動索用ワイヤロープの状態検知の精度を上げることができるが、機械停止を考慮すれば時間的な制約があり、測定箇所も限定されてしまうため、状態検知の精度向上も限界がある。
【０００６】
そこで、本発明は、このような問題に鑑みなされたものであり、性能に優れ、かつ、ロープ径の状態測定を容易にして安全性向上に資する動索用ワイヤロープを提供することを目的とする。
【課題を解決するための手段】
【０００７】
上記課題を解決するために、本発明に係る動索用ワイヤロープは、樹脂製の心材である樹脂心の周囲に複数本のストランドを撚り合わせてなる動索用ワイヤロープであって、前記樹脂心が複数の樹脂層からなり、隣り合う樹脂層の樹脂材が異なる、または／および、隣り合う層の配色が異なることを特徴とする。
【０００８】
これによれば、樹脂心を複層構造として各層を異なる樹脂材で構成したり、各層を異なる配色で構成するので、ロープ径の状態測定を容易にすることができる。すなわち、動索用ワイヤロープは経年的に摩耗して変化するところ、各層を構成する樹脂材は外側の層から順次摩耗して粉体となっていくので、この粉体の発生量によってロープ径の状態を推し量ることができ、ロープの交換基準の目安が得られる。
【０００９】
ここで、樹脂心の中心側の樹脂層よりも外側の樹脂層の摩耗に対する耐久性が高くなるよう構成されているのが好ましい。
【００１０】
これによれば、摩耗が進みやすい外側に摩耗に対する耐久性に優れた樹脂材を用いて、摩耗されにくい内側を比較的安価な樹脂材を用いる複層構造とできるので、低コストで高性能な樹脂心を備えた動索用ワイヤロープが実現される。
【００１１】
また、樹脂心の中心側の樹脂層よりも外側の樹脂層の配色が淡色系になるよう構成されているのも好ましい。
【００１２】
これによれば、摩耗により発生する粉体が淡色系から濃色系へと変化していくので、ロープ径の状態を一見して把握することが可能となる。
【発明の効果】
【００１３】
以上のように、本発明に係る動索用ワイヤロープによれば、樹脂心を異なる素材の複層構造としているので、ロープ径の状態を摩耗して粉体となった樹脂材で判断可能になり、ロープの交換基準の目安を得ることができ、ひいては、安全性向上に資するものとなる。
【図面の簡単な説明】
【００１４】
【図１】動索用ワイヤロープの断面図である。
【図２】樹脂心の比率を説明するための図である。
【図３】樹脂心の別の例を示す断面図である。
【発明を実施するための形態】
【００１５】
以下、本発明の実施形態について図面を参照しながら説明する。
【００１６】
図１は、本実施形態の動索用ワイヤロープの断面図である。
【００１７】
動索用ワイヤロープ１は、心材の周囲に複数本のストランド２を撚り合わせることにより構成される、エレベータ用動索などに使用されるワイヤロープである。ここでは８本のストランド２を撚り合わせた例を図示しているが、６本のストランドで構成される場合もある。
【００１８】
動索用ワイヤロープ１は、心材として樹脂心３を備えている。この樹脂心３は、第１樹脂層４と第２樹脂層５とから構成されており、複層構造となっている。樹脂心３を構成する第１樹脂層４および第２樹脂層５は、ポリエチレンやポリプロピレン、ポリエステルなどの熱可塑性樹脂材で形成されている。
【００１９】
第１樹脂層４を構成する樹脂材と第２樹脂層を構成する樹脂材とは異なるものが用いられている。例えば、中心部分となる第１樹脂層４を比較的安価なポリエチレンやポリプロピレンの樹脂材とし、その外側となる第２樹脂層５を高密度ポリエチレンやポリエステルといった高耐久性の樹脂材を用いた場合、低コストでありながら高性能な樹脂心３を構成することができる。
【００２０】
このように、樹脂心を複層構造として各層を構成する素材を異ならせているので、経年的に変化するロープの径を、摩耗して粉体となった樹脂材により確認することができるようになる。摩耗して樹脂材が粉体となっているということは、当該層がいずれかの箇所において露出していることになる。特にロープは長尺方向に亘って摩耗が進むため、樹脂材の粉体は一定量が発生することになり、ロープの交換基準の目安を得ることができる。なお、測定者が目視で発生を確認できる程度の一定量の粉体を発生させるために、各層の厚みは１ｍｍ以上とするのが好ましい。
【００２１】
図２は、樹脂心の比率を説明するための図である。
【００２２】
８本のストランド２を撚り合わせた動索用ワイヤロープ１の場合、ストランドが撚り合わされる前の樹脂心３の径Ｂは、ロープ径Ａの５５〜６５％とするのが好ましい。５５％を下回ると、ロープ径の減少を発見することが遅れるおそれがでてくるからである。一方、６５％を上回ると、ロープ径の減少を交換すべき時期より早い段階で交換を促すことになり、ロープの寿命を早めてしまうおそれがでてくるからである。
【００２３】
なお、６本のストランドを撚り合わせた動索用ワイヤロープの場合は、樹脂心の径Ｂは、ロープ径Ａの３５〜４５％とするのが好ましい。理由は上記と同様である。
【００２４】
図３は、樹脂心の別の例を示す断面図である。
【００２５】
図３に示す樹脂心３ａは、第１樹脂層４と第２樹脂層５と第３樹脂層６の各層により構成されている。各層を形成する樹脂材を異ならせるだけでなく、または、樹脂材を異ならせることに替えて、各層の配色を異ならせるとしてもよい。例えば、色料の三原色であるシアン（C）・マゼンタ（M）・イエロー（Y）の原色に近い色を各層にそれぞれ配色すれば、摩耗して粉体となった樹脂材により容易にロープ径の状態を確認することができる。配色の相違は、同系色の濃淡で差異をつけるとしてもよく、この場合は、例えば、心の中心内側から外側に向けて濃色系から淡色系に配色するのが好ましい。ロープが摩耗して樹脂材が粉体となれば、粉体の色によってどの層までロープの摩耗が進んでいるかを判断することができる。また、ロープは長尺方向に亘って摩耗するので、いずれかの箇所において配色が異なる層が露出していると目視による判断も可能となる。
【００２６】
また、各層の樹脂材の相違、各層の配色の相違に加えて、各層の厚みも相違させてもよい。例えば、心の中心内側から外側に向けて、耐久性に優れた樹脂材を用いて厚みを増やし、さらに異なる配色をするとしてもよいし、耐久性に優れた樹脂材と比較的安価な樹脂材とを交互に配したり、各層の厚みに強弱をつけたりするなど、動索用ワイヤロープの使用機器に適応した樹脂心を構成することも可能となる。少なくとも複層構造の隣り合う層の樹脂材を異ならせるか配色を異ならせることにすれば、ロープの摩耗によって生じる樹脂材の粉体によってロープ径の状態を把握することができるので、用途等に適した複層構造の樹脂心は多くのパターンが考えられる。
【００２７】
以上、本発明に係る動索用ワイヤロープについて、各実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【産業上の利用可能性】
【００２８】
本発明は、エレベータ用動索などに用いられる動索用ワイヤロープとして適用可能である。
【符号の説明】
【００２９】
１  動索用ワイヤロープ
２  ストランド
３，３ａ  樹脂心
４  第１樹脂層
５  第２樹脂層
６  第３樹脂層
【図１】
0006417362.tif 000002
【図２】
0006417362.tif 000003
【図３】
0006417362.tif 000004